(57)【要約】【課題】  保存されている印刷ジョブを選択する際に、ユーザが印刷ジョブの内容を確認する。【解決手段】  プリントオプションの指定を含む印刷ジョブを受信する送受信部２０と、前記受信した印刷ジョブを圧縮して保存ジョブを作成する保存ジョブ作成部２４と、前記受信した印刷ジョブのプリントオプションを提示するための確認用画像を生成する確認用画像生成部２６と、前記作成した保存ジョブに関連付けて、前記生成した確認用画像を記憶する記憶部３０と、保存ジョブを指定した指示により、当該指定された保存ジョブに関連づけて記憶した確認用画像を表示する手段と、を含むプリントサーバ。【選択図】   図２
2007058465.tif 000002
【特許請求の範囲】
【請求項１】
プリントオプションの指定を含む印刷ジョブを受信する手段と、
前記受信した印刷ジョブを圧縮して保存ジョブを作成する手段と、
前記受信した印刷ジョブのプリントオプションを提示するための確認用画像を生成する手段と、
前記作成した保存ジョブに関連付けて、前記生成した確認用画像を記憶する手段と、
保存ジョブを指定した指示により、当該指定された保存ジョブに関連づけて記憶した確認用画像を表示する手段と、を含む
ことを特徴とするプリントサーバ。
【請求項２】
プリントオプションの指定を含む印刷ジョブを受信するステップと、
前記受信した印刷ジョブを圧縮して保存ジョブを作成するステップと、
前記受信した印刷ジョブのプリントオプションを提示するための確認用画像を生成するステップと、
前記作成した保存ジョブに関連付けて、前記生成した確認用画像を記憶するステップと、
保存ジョブを指定した指示により、当該指定された保存ジョブに関連づけて記憶した確認用画像を表示するステップと、を含む
ことを特徴とするコンピュータの制御方法。
【請求項３】
プリントオプションの指定を含む印刷ジョブを受信する手段、
前記受信した印刷ジョブを圧縮して保存ジョブを作成する手段、
前記受信した印刷ジョブのプリントオプションを提示するための確認用画像を生成する手段、
前記作成した保存ジョブに関連付けて、前記生成した確認用画像を記憶する手段、及び、
保存ジョブを指定した指示により、当該指定された保存ジョブに関連づけて記憶した確認用画像を表示する手段、
としてコンピュータを機能させるためのプログラム。
【請求項４】
プリントオプションの指定を含む印刷ジョブを受信する手段と、
前記受信した印刷ジョブを圧縮して保存ジョブを作成する手段と、
前記受信した印刷ジョブのプリントオプションを提示するための確認用画像を生成する手段と、
前記作成した保存ジョブに関連付けて、前記生成した確認用画像を圧縮した圧縮画像を記憶する手段と、
保存ジョブを指定した指示により、当該指定された保存ジョブに関連づけて記憶した圧縮画像を伸張して得た確認用画像を表示する手段と、を含む
ことを特徴とするプリントサーバ。
【請求項５】
プリントオプションの指定を含む印刷ジョブを受信するステップと、
前記受信した印刷ジョブを圧縮して保存ジョブを作成するステップと、
前記受信した印刷ジョブのプリントオプションを提示するための確認用画像を生成するステップと、
前記作成した保存ジョブに関連付けて、前記生成した確認用画像を圧縮した圧縮画像を記憶するステップと、
保存ジョブを指定した指示により、当該指定された保存ジョブに関連づけて記憶した圧縮画像を伸張して得た確認用画像を表示するステップと、を含む
ことを特徴とするコンピュータの制御方法。
【請求項６】
プリントオプションの指定を含む印刷ジョブを受信する手段、
前記受信した印刷ジョブを圧縮して保存ジョブを作成する手段、
前記受信した印刷ジョブのプリントオプションを提示するための確認用画像を生成する手段、
前記作成した保存ジョブに関連付けて、前記生成した確認用画像を圧縮した圧縮画像を記憶する手段、及び、
保存ジョブを指定した指示により、当該指定された保存ジョブに関連づけて記憶した圧縮画像を伸張して得た確認用画像を表示する手段、
としてコンピュータを機能させるためのプログラム。
【発明の詳細な説明】
【技術分野】
【０００１】
本発明は、保存した印刷ジョブを選択容易にする技術に関する。
【背景技術】
【０００２】
プリントサーバでは、印刷ジョブを保存し、保存した印刷ジョブを後の利用に供することが行われている。ここで、印刷ジョブは一般にファイルサイズが大きいため、印刷ジョブが沢山溜まると圧縮して保存される。例えば、特許文献１には、ポストスクリプトファイルと共にプリントオプションを圧縮して保存する技術が記載されている。
【特許文献１】特開平６−２１５０８８号公報
【発明の開示】
【発明が解決しようとする課題】
【０００３】
しかしながら、上記の従来技術では、印刷ジョブを圧縮して保存してしまうと、保存されている印刷ジョブの内容を確認するためには、圧縮された印刷ジョブを一度伸張するしかなかった。例えば、デザイナーが印刷物を仕上げる過程で、出力画像のサンプルをいくつも作成する場合には、各サンプルの保存ジョブの内容を確認するために、それぞれの保存ジョブを伸張するのは負荷が高く、簡便な方法とはいえなかった。
【０００４】
本発明は上記課題に鑑みてなされたものであって、その目的の一つは、保存されている印刷ジョブを選択する際に、ユーザが印刷ジョブの内容を簡便に確認することができるプリントサーバ、コンピュータの制御方法およびプログラムを提供することにある。
【課題を解決するための手段】
【０００５】
上記課題を解決するために、本発明に係るプリントサーバは、プリントオプションの指定を含む印刷ジョブを受信する手段と、前記受信した印刷ジョブを圧縮して保存ジョブを作成する手段と、前記受信した印刷ジョブのプリントオプションを提示するための確認用画像を生成する手段と、前記作成した保存ジョブに関連付けて、前記生成した確認用画像を記憶する手段と、保存ジョブを指定した指示により、当該指定された保存ジョブに関連づけて記憶した確認用画像を表示する手段と、を含むことを特徴とする。
【０００６】
また、本発明に係るコンピュータ（例えばパーソナルコンピュータ、サーバコンピュータ、プリンタ、複写機、複合機等を含む。以下、同様。）の制御方法はプリントオプションの指定を含む印刷ジョブを受信するステップと、前記受信した印刷ジョブを圧縮して保存ジョブを作成するステップと、前記受信した印刷ジョブのプリントオプションを提示するための確認用画像を生成するステップと、前記作成した保存ジョブに関連付けて、前記生成した確認用画像を記憶するステップと、保存ジョブを指定した指示により、当該指定された保存ジョブに関連づけて記憶した確認用画像を表示するステップと、を含むことを特徴とする。
【０００７】
また、本発明に係るコンピュータを機能させるためのプログラムは、プリントオプションの指定を含む印刷ジョブを受信する手段、前記受信した印刷ジョブを圧縮して保存ジョブを作成する手段、前記受信した印刷ジョブのプリントオプションを提示するための確認用画像を生成する手段、前記作成した保存ジョブに関連付けて、前記生成した確認用画像を記憶する手段、及び、保存ジョブを指定した指示により、当該指定された保存ジョブに関連づけて記憶した確認用画像を表示する手段、としてコンピュータを機能させるためのプログラムである。プログラムは、ＣＤ−ＲＯＭ（Compact Disk - Read Only Memory）、ＤＶＤ−ＲＯＭ（Digital Versatile Disk - Read Only Memory）、メモリーカードその他のあらゆるコンピュータ読み取り可能な情報記憶媒体に格納することとしてもよい。
【０００８】
本発明では、プリントサーバは、クライアントから印刷出力の仕上り体裁を指定するプリントオプションを含む印刷ジョブを受信する。そして、プリントサーバは、受信した印刷ジョブを圧縮して保存ジョブを作成し、また、印刷ジョブによる印刷出力と印刷ジョブのプリントオプションとを確認するための確認用画像とを生成する。印刷出力を確認するための画像には、例えば、出力画像のサムネイル画像や印刷イメージ画像等が含まれる。プリントサーバは、作成した保存ジョブと、生成した確認用画像とを関連付けてハードディスク等の記憶装置に記憶する。そして、記憶した保存ジョブがクライアントによって選択されると、プリントサーバは、保存ジョブに関連付けて記憶される確認用画像をクライアント側で表示する。
【０００９】
本発明によると、クライアントがプリントサーバにおいて記憶される保存ジョブを選択する際に、プリントサーバは、保存ジョブに関連付けられた確認用画像を表示させるため、保存ジョブを伸張しなくとも保存ジョブの内容を確認することができる。
【００１０】
また、本発明に係るプリントサーバは、プリントオプションの指定を含む印刷ジョブを受信する手段と、前記受信した印刷ジョブを圧縮して保存ジョブを作成する手段と、前記受信した印刷ジョブのプリントオプションを提示するための確認用画像を生成する手段と、前記作成した保存ジョブに関連付けて、前記生成した確認用画像を圧縮した圧縮画像を記憶する手段と、保存ジョブを指定した指示により、当該指定された保存ジョブに関連づけて記憶した圧縮画像を伸張して得た確認用画像を表示する手段と、を含むことを特徴とする。
【００１１】
また、本発明に係るコンピュータ（例えばパーソナルコンピュータ、サーバコンピュータ、プリンタ、複写機、複合機等を含む。以下、同様。）の制御方法は、プリントオプションの指定を含む印刷ジョブを受信するステップと、前記受信した印刷ジョブを圧縮して保存ジョブを作成するステップと、前記受信した印刷ジョブのプリントオプションを提示するための確認用画像を生成するステップと、前記作成した保存ジョブに関連付けて、前記生成した確認用画像を圧縮した圧縮画像を記憶するステップと、保存ジョブを指定した指示により、当該指定された保存ジョブに関連づけて記憶した圧縮画像を伸張して得た確認用画像を表示するステップと、を含むことを特徴とする。
【００１２】
また、本発明に係るコンピュータを機能させるためのプログラムは、プリントオプションの指定を含む印刷ジョブを受信する手段、前記受信した印刷ジョブを圧縮して保存ジョブを作成する手段、前記受信した印刷ジョブのプリントオプションを提示するための確認用画像を生成する手段、前記作成した保存ジョブに関連付けて、前記生成した確認用画像を圧縮した圧縮画像を記憶する手段、及び、保存ジョブを指定した指示により、当該指定された保存ジョブに関連づけて記憶した圧縮画像を伸張して得た確認用画像を表示する手段、としてコンピュータを機能させるためのプログラムである。
【００１３】
本発明では、プリントサーバは、クライアントから印刷出力の仕上り体裁を指定するプリントオプションを含む印刷ジョブを受信する。そして、プリントサーバは、受信した印刷ジョブを圧縮して保存ジョブを作成し、また、印刷ジョブによる印刷出力と印刷ジョブのプリントオプションとを確認するための確認用画像とを生成する。印刷出力を確認するための画像には、例えば、出力画像のサムネイル画像や印刷イメージ画像等が含まれる。そして、プリントサーバは、作成した確認用画像を圧縮して圧縮画像を得る。プリントサーバは、作成した保存ジョブと、圧縮画像とを関連付けてハードディスク等の記憶装置に記憶する。そして、記憶した保存ジョブがクライアントによって選択されると、プリントサーバは、保存ジョブに関連付けて記憶される圧縮画像を伸張して、クライアント側で表示する。
【００１４】
本発明によると、クライアントがプリントサーバにおいて記憶される保存ジョブを選択する際に、プリントサーバは、保存ジョブに関連付けられた圧縮した確認用画像を伸張して表示させる。そのため、保存ジョブを伸張しなくとも圧縮された確認用画像を伸張することで、保存ジョブの内容を確認することができる。
【発明を実施するための最良の形態】
【００１５】
以下、本発明の好適な実施形態について図面に基づいて詳細に説明する。
【００１６】
図１は、本発明の実施の形態に係るプリントサーバを含む印刷システムのシステム構成図である。図１に示されるように、印刷システム１は、プリントサーバ１０、プリンタ１２とクライアント１４を含み構成される。プリントサーバ１０とプリンタ１２とは、クライアント１４を介して相互に通信可能に接続される。ここで、クライアント１４は、シリアル接続やイーサネット（登録商標）接続など種々の接続形態であって構わない。また、プリントサーバ１０とクライアント１４とは、ネットワーク１８を介して相互に通信可能に接続される。
【００１７】
本実施形態に係る印刷システム１では、クライアント１４を操作するユーザが、デザインを修正していくつかのサンプル画像を作成し、各サンプル画像について印刷出力を行う。ここで、クライアント１４からプリントサーバ１０に対しては、各サンプル画像に基づいた印刷ジョブが送信される。印刷ジョブは、ＰＤＬデータ等の印刷データと印刷出力の仕上り体裁を指定するプリントオプションを含むものである。本実施形態では、クライアント１４から送信される印刷データは、ポストスクリプトデータであるとするが、それ以外のデータ形式であっても構わない。プリントオプションは、ユーザによって各印刷ジョブ毎に設定される。また、印刷ジョブは、ユーザによりプリントサーバに保存するか否かの設定がされる。そして、印刷ジョブを保存する設定がされている場合には、プリントサーバ１０では、その印刷ジョブを圧縮して保存ジョブとして格納する。そして、ユーザは、プリントサーバ１０に格納された保存ジョブを指定して再び利用することができる。
【００１８】
プリントサーバ１０は、クライアント１４からネットワーク１８を介して送信されてきた印刷ジョブを受信する。そして、プリントサーバ１０は、受信した印刷ジョブを、クライアント１４を介してプリンタ１２に送信して、プリンタ１２に印刷処理を行わせる。ここで、プリントサーバ１０は、受信した印刷ジョブのうち再利用するために保存ジョブとするものは、圧縮してプリントサーバ１０のハードディスク等の記憶装置内に格納する。
【００１９】
プリンタ１２は、一般的なプリンタであって構わない。プリンタ１２は、プリントサーバ１０の制御を受け、プリントサーバ１０から印刷ジョブを受信する。そして、プリンタ１２は、受信した印刷ジョブに基づいて印刷処理を実行する。
【００２０】
クライアント１４は、一般的なパーソナルコンピュータであって構わない。クライアント１４では、ユーザが出力対象画像のデザインデータを修正し、その修正したデザインデータについてそれぞれ印刷を行う。クライアント１４は、デザインデータに基づいて作成されたポストスクリプトデータとその印刷出力の仕上がり体裁を指定するプリントオプションとを含む印刷ジョブを生成し、プリントサーバ１０に送信する。
【００２１】
図２は、プリントサーバ１０の機能ブロック図である。図２に示すように、プリントサーバ１０は、機能的には、送受信部２０、制御部２２、保存ジョブ作成部２４、確認用画像生成部２６、圧縮部２８、記憶部３０と伸張部３２を含んで構成される。
【００２２】
送受信部２０は、印刷出力の仕上り体裁を指定するプリントオプションを含む印刷ジョブを受信するものである。送受信部２０は、プリントサーバ１０のネットワークインターフェースを含み構成される。送受信部２０は、受信した印刷ジョブを制御部２２に転送する。また、送受信部２０は、伸張部３２で伸張した確認用画像をクライアント１４に送信する。なお、確認用画像については、後述する。
【００２３】
制御部２２は、プリントサーバ１０の各部を制御し、プリントサーバ１０で行われる各処理の順序やタイミングを制御するものである。また、制御部２２は、プリントサーバ１０のＣＰＵ及びメモリを含んで構成され、ハードディスクからのデータの読み込みや、ハードディスクへのデータの書き込みも行う。具体的には、制御部２２は、送受信部２０から転送された印刷ジョブに基づいて保存ジョブ作成部２４にて保存ジョブを作成させたり、また、上記の印刷ジョブに基づいて確認用画像生成部２６にて確認用画像を生成させたりするほか、記憶部３０に保存ジョブを格納したり、記憶部３０から保存ジョブを読み出したりする。
【００２４】
保存ジョブ作成部２４は、送受信部２０で受信した印刷ジョブを圧縮して保存ジョブを作成するものである。保存ジョブ作成部２４は、制御部２２から転送された印刷ジョブに対して、圧縮を行う。印刷ジョブは、プリントサーバ１０で受信されると、ジョブＩＤが付加され、印刷データのファイル名が同一であっても印刷ジョブがそれぞれ識別できるようになっている。ジョブＩＤは、印刷ジョブを一意に識別可能にするものであり、例えば、受信した印刷ジョブに含まれる印刷データのファイル名に印刷データのバージョンを示す数字を付加したものであってもよいし、また、印刷ジョブを受信した順に時系列に番号をインクリメントさせて、その番号をＩＤとするものであってもよい。なお、保存ジョブ作成部２４では、印刷ジョブの圧縮には、ＺＩＰ圧縮等の公知の可逆圧縮方式を用いる。
【００２５】
確認用画像生成部２６は、送受信部２０で受信した印刷ジョブによる印刷出力と受信した印刷ジョブのプリントオプションを確認するための確認用画像を生成するものである。ここで、確認用画像の一例を図３に示す。図３の（Ａ）は、受信した印刷ジョブにより印刷出力される画像のサムネイル画像である。サムネイル画像は、印刷ジョブに含まれるポストスクリプトデータに基づいて生成する。図３の（Ｂ）は、ユーザが印刷ジョブについて設定した調整曲線の一例である。ここで調整曲線とは、画像の明るさをカーブを使って調整するための曲線である。調整曲線を変えることで、出力画像の「コントラスト調整」、「階調の反転」等を調整することができる。図３（Ｂ）に示される点線は、デフォルトの設定値であり、実線はユーザが設定した調整曲線である。調整曲線は、プリントオプションとして含まれる調整曲線のデータに基づいて描かれる。また、図３の（Ｃ）は、プリントオプションの設定項目とその設定値とを示した表である。プリントオプションの設定項目は、印刷データによる印刷出力の仕上がり体裁を指定するためのものである。本実施形態では、設定項目には、「シャープネス調整」、「明るさ調整」、「光沢調整」、「用紙サイズ」等を例示しているが、設定項目はこれに限られるものではない。図３（Ｃ）に示した他にも「両面印刷の有無」、「オフセット排出の有無」、「原稿タイプ」や「画質モード」等を設定項目に含めることとしてもよい。そして、確認用画像は、上記の図３（Ａ）、（Ｂ）、（Ｃ）を含むイメージとして構成される。
【００２６】
圧縮部２８は、確認用画像生成部２６で生成した確認用画像を圧縮して圧縮画像を作成するものである。本実施形態では、圧縮部２８は、図３で示される確認用画像の場合には、サムネイル画像、調整曲線とプリントオプションのテーブルを含むイメージを１つの画像として圧縮するものである。圧縮部２８における圧縮方式は、印刷ジョブの圧縮と同様に、ＺＩＰ圧縮等の公知の可逆圧縮を用いてもよいし、ＪＰＥＧ等によりイメージを不可逆圧縮する方式を用いてもよい。
【００２７】
記憶部３０は、保存ジョブ作成部２４で作成した保存ジョブに関連付けて、圧縮部２８で作成した圧縮画像を記憶するものである。記憶部３０は、プリントサーバ１０のハードディスクまたはメモリ等の記憶装置を含んで構成される。本実施形態では、記憶部３０は、保存ジョブと圧縮画像を記憶する。図４には、保存ジョブのジョブＩＤに関連付けて、保存ジョブのファイルパスと、圧縮画像のファイルパスとを記憶したテーブルを示す。図４で示されるように、記憶部３０は、保存ジョブに付加されたジョブＩＤに対応付けて、保存ジョブと、圧縮画像とが格納されたファイルパスとをそれぞれ関連づけたテーブルを記憶する。本実施形態では、ジョブＩＤは、印刷データのファイル名に印刷データのバージョンを付加したものとする。すなわち、図４のＡ＿００１というジョブＩＤは、印刷データであるファイルＡのバージョン００１を、Ａ＿００２はファイルＡのバージョン００２を示すものである。
【００２８】
伸張部３２は、保存ジョブを選択する際に、保存ジョブに関連づけて記憶された圧縮画像をそれぞれ伸張するものである。伸張部３２は、ジョブＩＤに基づいて、そのジョブＩＤに関連付けられた圧縮画像を、図４に示されたテーブルを参照して取得する。そして、圧縮画像から確認用画像を取得するために、圧縮画像を伸張する。また、伸張部３２で伸張された確認用画像は、クライアント１４に送信され、クライアント１４に接続されたディスプレイに表示される。
【００２９】
以下、本発明の実施の形態に係るプリントサーバ１０における印刷ジョブの保存処理および保存されたジョブを再び利用する処理の動作の詳細について説明する。
【００３０】
図５は、プリントサーバ１０における印刷ジョブの保存処理のフロー図である。図５で示されるように、プリントサーバ１０は、クライアント１４から印刷ジョブを受信する（Ｓ１０１）。そして、プリントサーバ１０は、受信した印刷ジョブを識別するジョブＩＤを付加する（Ｓ１０２）。プリントサーバ１０は、印刷ジョブが保存ジョブを作成する設定になっているか否か確認し（Ｓ１０３）、保存ジョブを作成する設定になっていない場合には処理を終了する。また、保存ジョブを作成する設定になっている場合には、プリントサーバ１０は、印刷ジョブを圧縮して保存ジョブを作成する（Ｓ１０４）。また、プリントサーバ１０は、印刷ジョブによる印刷出力と印刷ジョブのプリントオプションを確認するための確認用画像を生成し、生成した確認用画像を圧縮する（Ｓ１０５）。そして、プリントサーバ１０は、圧縮画像を、印刷ジョブのジョブＩＤに関連づけて保存する（Ｓ１０６）。
【００３１】
図６は、印刷システム１において、保存ジョブを選択し、選択した保存ジョブを再利用する処理のシーケンス図である。図６で示されるように、プリントサーバ１０は、クライアント１４からネットワーク１８を介して、保存ジョブの選択画面を表示する要求を受信する。本実施形態では、クライアント１４からは、ファイル名（例えばＡ）をキーとして、該当する保存ジョブを表示する要求が送信される（Ｓ２０１）。プリントサーバ１０では、受信したファイル名（Ａ）から、記憶部３０に格納されるテーブル（図４）を参照し、該当するジョブＩＤ（Ａ＿００１、Ａ＿００２）の保存ジョブを抽出する（Ｓ２０２）。そして、プリントサーバ１０は、抽出した保存ジョブに関連付けて記憶部３０に記憶される圧縮画像を取得する（Ｓ２０３）。プリントサーバ１０は、取得した圧縮画像を伸張する（Ｓ２０４）。プリントサーバ１０は、伸張して得た確認用画像をクライアント１４に対して送信する（Ｓ２０５）。クライアント１４は図３で示される確認用画像を受信して、クライアント１４に接続されたディスプレイにその確認用画像を表示する（Ｓ２０６）。この確認用画像によって、ユーザは保存ジョブの印刷イメージや印刷設定の内容を確認することができる。そして、ユーザは、クライアント１４のディスプレイに表示された保存ジョブに対応する確認用画像の一覧から、確認用画像を選択する（Ｓ２０７）。そして、選択した確認用画像に対応する保存ジョブのジョブＩＤが、クライアント１４からプリントサーバ１０に対して送信される（Ｓ２０８）。選択されたジョブＩＤを受信したプリントサーバ１０は、ジョブＩＤに対応する保存ジョブを記憶部３０から取得して、伸張処理を施して印刷ジョブを復元する（Ｓ２０９）。プリントサーバ１０は、復元した印刷ジョブをプリンタ１２に対してクライアント１４を介して送信する（Ｓ２１０）。印刷ジョブを受信したプリンタ１２は、受信した印刷ジョブに基づいて印刷処理を行う（Ｓ２１１）。
【００３２】
以上説明した本発明の実施の形態に係るプリントサーバ１０によれば、保存されている印刷ジョブを選択する際に、ユーザが印刷ジョブの内容を確認することができる。
【００３３】
なお、本発明は上記実施形態に限定されるものではない。
【００３４】
例えば、上記実施形態では、確認用画像を圧縮して、保存ジョブに関連づけて記憶しているが、確認用画像を圧縮しないで、記憶することとしてもよい。この場合には、プリントサーバには、伸張部３２は不要である。
【図面の簡単な説明】
【００３５】
【図１】本発明の実施の形態に係るプリントサーバを含む印刷システムのシステム構成図である。
【図２】プリントサーバの機能ブロック図である。
【図３】確認用画像の一例を示す図である。
【図４】保存ジョブのジョブＩＤに関連付けて、保存ジョブのファイルパスと、確認用画像のファイルパスとを記憶したテーブルを示す図である。
【図５】プリントサーバにおける印刷ジョブの保存処理のフロー図である。
【図６】印刷システムにおいて、保存ジョブを選択し、選択した保存ジョブを再利用する処理のシーケンス図である。
【符号の説明】
【００３６】
１  印刷システム、１０  プリントサーバ、１２  プリンタ、１４  クライアント、１６  双方向インターフェース、１８  ネットワーク、２０  送受信部、２２  制御部、２４  保存ジョブ作成部、２６  確認用画像生成部、２８  圧縮部、３０  記憶部、３２  伸張部。
【図１】
2007058465.tif 000003
【図２】
2007058465.tif 000004
【図３】
2007058465.tif 000005
【図４】
2007058465.tif 000006
【図５】
2007058465.tif 000007
【図６】
2007058465.tif 000008